(57)【要約】【課題】  工具を用いずに、簡単に部材同士を着脱できる部材連結構造およびそれを備えた腕時計を提供する。【解決手段】  取付孔６を有するバンド取付部４が突出して設けられた腕時計ケース１と、バンド取付部４の両側を弾力的に挟む一対の弾性突起部８を有し、これら一対の弾性突起部８に設けられて、バンド取付部４の取付孔６に両側から挿入する一対の挿入部９を有する時計バンド５と、を備えている。従って、時計バンド５の一対の弾性突起部８を弾力的に押し広げるだけで、一対の挿入部９をバンド取付部４の取付孔６に両側から挿入させることができ、また時計バンド５の一対の弾性突起部８を弾力的に押し広げるだけで、一対の挿入部９をバンド取付部４の取付孔６から抜き出すことができる。これにより、工具を用いずに、時計バンド５と腕時計ケース１とを簡単にかつ容易に取り付けたり取り外したりすることができる。【選択図】        図３
2015116277.tif 000002
【特許請求の範囲】
【請求項１】
取付孔を有する部材取付部が突出して設けられた第１の部材と、
前記部材取付部の両側を弾力的に挟む一対の弾性突起部を有し、これら一対の弾性突起部に設けられ、かつ前記部材取付部の前記取付孔に両側から挿入する一対の挿入部を有する第２の部材と、
を備えていることを特徴とする部材連結構造。
【請求項２】
請求項１に記載の部材連結構造において、前記一対の挿入部は、それぞれ筒状に形成され、その各内部に棒状部材が前記一対の挿入部に亘り挿入されていることを特徴とする部材連結構造。
【請求項３】
請求項１または請求項２に記載の部材連結構造において、前記第１の部材はケースであり、前記第２の部材はバンドであることを特徴とする部材連結構造。
【請求項４】
請求項１または請求項２に記載の部材連結構造において、前記第１の部材はバンド駒であり、前記第２の部材は連結駒であることを特徴とする部材連結構造。
【請求項５】
請求項１〜請求項４のいずれかに記載の部材連結構造において、前記一対の挿入部は、それぞれ金属製の筒状に形成され、前記一対の弾性突起部にインサート成型によって一体に形成されていることを特徴とする部材連結構造。
【請求項６】
請求項１〜請求項４のいずれかに記載の部材連結構造において、前記一対の挿入部は、それぞれ合成樹脂製の筒状に形成され、前記一対の弾性突起部に一体に形成されていることを特徴とする部材連結構造。
【請求項７】
請求項１〜請求項６のいずれかに記載の部材連結構造において、前記一対の挿入部のうち、いずれか一方の挿入部は、前記部材取付部の前記取付孔と反対側の端部が前記弾性突起部によって塞がれていることを特徴とする部材連結構造。
【請求項８】
請求項１〜請求項６のいずれかに記載の部材連結構造において、前記挿入部は、前記部材取付部の前記取付孔と反対側に位置する端部が前記弾性突起部から外部に露呈し、この露呈した前記端部にキャップ部が着脱可能に取り付けられていることを特徴とする部材連結構造。
【請求項９】
請求項１〜請求項８のいずれかに記載されている部材連結構造を備えていることを特徴とする腕時計。
【発明の詳細な説明】
【技術分野】
【０００１】
この発明は、腕時計、鞄、バッグなどのバンドに用いられる部材連結構造およびそれを備えた腕時計に関する。
【背景技術】
【０００２】
例えば、腕時計のバンド取付構造である部材連結構造においては、特許文献１に記載されているように、腕時計ケースに設けられた一対の取付突起部間に時計バンドの端部を配置し、この時計バンドの端部の貫通孔と一対の取付突起部の各取付孔とに連結パイプを挿入し、この連結パイプの両端部にねじ部材を取り付けることにより、腕時計ケースに時計バンドを取り付けるように構成したものが知られている。
【先行技術文献】
【特許文献】
【０００３】
【特許文献１】特開平１１−２１１号公報
【発明の概要】
【発明が解決しようとする課題】
【０００４】
しかしながら、このようなバンド取付構造である部材連結構造では、腕時計ケースに時計バンドを取り付ける際に、連結パイプの両端部にねじ部材をドライバーなどの工具を用いて取り付けなければならず、また腕時計ケースから時計バンドを取り外す際にも、ドライバーなどの工具を用いてねじ部材を連結パイプから取り外さなければならないため、腕時計ケースに対する時計バンドの着脱作業が面倒でかつ不便であるという問題がある。
【０００５】
この発明が解決しようとする課題は、工具を用いずに、簡単に部材同士を着脱することができる部材連結構造およびそれを備えた腕時計を提供することである。
【課題を解決するための手段】
【０００６】
この発明は、取付孔を有する部材取付部が突出して設けられた第１の部材と、前記部材取付部の両側を弾力的に挟む一対の弾性突起部を有し、これら一対の弾性突起部に設けられ、かつ前記部材取付部の前記取付孔に両側から挿入する一対の挿入部を有する第２の部材と、を備えていることを特徴とする部材連結構造である。
【発明の効果】
【０００７】
この発明によれば、第２の部材の一対の弾性突起部を弾力的に押し広げるだけで、一対の挿入部を第１の部材の取付孔に挿入させることができるので、第１の部材と第２の部材とを簡単にかつ容易に連結することができ、また第２の部材の一対の弾性突起部を弾力的に押し広げるだけで、一対の挿入部を第１の部材の取付孔から抜き出すことができるので、第１の部材と第２の部材とを簡単にかつ容易に取り外すことができる。このため、工具を用いずに、簡単に部材同士を着脱することができる。
【図面の簡単な説明】
【０００８】
【図１】この発明を腕時計のバンド取付構造に適用した第１実施形態を示した要部の拡大正面図である。
【図２】図１に示された腕時計のＡ−Ａ矢視における拡大断面図である。
【図３】図１に示された腕時計のバンド取付構造において、その一部を破断して示した要部の拡大正面図である。
【図４】図３に示された時計バンドの端部を示した拡大正面図である。
【図５】図１に示された腕時計のバンド取付構造のＢ−Ｂ矢視における要部の拡大断面図である。
【図６】図５に示されたバンド取付構造のキャップ部を示した拡大斜視図である。
【図７】この発明を時計バンドに適用した第２実施形態を示し、（ａ）はその要部の拡大正面図、（ｂ）はその一部を破断して示した要部の拡大裏面図である。
【図８】図７示された時計バンドを示し、（ａ）はそのバンド駒と連結駒とを分解して示した拡大正面図、（ｂ）は図７（ｂ）に示された時計バンドのＣ−Ｃ矢視において、上下反転させた状態を示した拡大断面図である。
【図９】この発明における弾性突起部に対する挿入部の取付構造の変形例を示した要部の拡大断面図である。
【発明を実施するための形態】
【０００９】
（第１実施形態）
以下、図１〜図６を参照して、この発明を腕時計のバンド取付構造に適用した第１実施形態について説明する。
この腕時計は、図１および図２に示すように、腕時計ケース１を備えている。この腕時計ケース１は、硬質の合成樹脂からなるケース本体１ａと、このケース本体１ａの外周面に設けられた軟質の合成樹脂からなるベゼル部１ｂとを有している。この場合、ケース本体１ａには、金属製の補強部材１ｃが埋め込まれている。
【００１０】
この腕時計ケース１の上部開口部、つまりケース本体１ａの上部開口部には、図２に示すように、時計ガラス２がパッキン２ａを介して取り付けられている。この腕時計ケース１の下部、つまりケース本体１ａの下部には、裏蓋３が防水リング３ａを介して取り付けられている。この腕時計ケース１の内部、つまりケース本体１ａの内部には、時計モジュール（図示せず）が設けられている。
【００１１】
また、この腕時計ケース１の１２時側と６時側とには、図１および図２に示すように、時計バンド５が取り付けられるバンド取付部４がそれぞれ側方（図２では左右方向）に突出して設けられている。このバンド取付部４は、腕時計ケース１のケース本体１ａに一体に形成された取付本体部４ａと、腕時計ケース１のベゼル部１ｂに一体に形成された取付ベゼル部４ｂとを有し、この取付ベゼル部４ｂが取付本体部４ａの外面を覆って設けられた構成になっている。
【００１２】
このバンド取付部４には、図３および図５に示すように、取付孔６が３時９時方向（図３では左右方向）に貫通して設けられている。また、このバンド取付部４の両側部には、図５に示すように、庇部７がそれぞれ設けられている。この庇部７は、その下側に位置する取付ベゼル部４ｂの端部を切欠くことによって形成されているこの庇部７の下面は、取付ベゼル部４ｂの端面の上部から下側に向けて食い込むように傾斜する傾斜部に形成されている。
【００１３】
時計バンド５は、ウレタン樹脂などの軟質の合成樹脂からなり、図２〜図５に示すように、その端部５ａに設けられてバンド取付部４の両側部を弾力的に挟む一対の弾性突起部８と、これら一対の弾性突起部８に設けられてバンド取付部４の取付孔６にその両側からそれぞれ挿入する一対の挿入部９と、一対の弾性突起部８間に位置する端部５ａに設けられて裏蓋３の縁部を押させる押え部１０と、を備えている。
【００１４】
一対の弾性突起部８は、図３および図４に示すように、時計バンド５の端部５ａにおける両側部に時計バンド５の長手方向に向けて突出して設けられ、バンド取付部４の両側に位置する各庇部７の下側にそれぞれ配置されるように構成されている。すなわち、一対の弾性突起部８は、それぞれバンド取付部４の両側に位置する各庇部７の下側の切欠き部とほぼ同じ形状に形成されている。
【００１５】
このため、一対の弾性突起部８は、図３〜図５に示すように、その各突出長さがバンド取付部４の突出長さと同じ長さで、かつ突出方向と直交する方向の長さ（幅）が、各庇部７の突出長さ、つまり庇部７の下側に位置する切欠き部の食い込み長さとほぼ同じ長さで形成されている。この場合、一対の弾性突起部８は、その上面が庇部７の下面の傾斜部と同じ形状の傾斜部に形成されている。
【００１６】
これにより、一対の弾性突起部８は、図３〜図５において時計バンド５の長手方向に対して直交する方向に押し広げられるように弾性変形して、バンド取付部４の両側部に対応し、この状態で元の形状に弾性復帰すると、バンド取付部４の各庇部７の下側にそれぞれ配置されて、バンド取付部４の両側部に弾接することにより、バンド取付部４の両側部を弾力的に挟み付けるように構成されている。
【００１７】
一方、一対の挿入部９は、図３〜図５に示すように、それぞれ金属製の円筒状に形成されている。これら一対の挿入部９は、その各一端部９ａが一対の弾性突起部８内にそれぞれ埋め込まれ、各他端部９ｂが一対の弾性突起部８間に向けて突出し、この突出した各端部９ｂが同一軸上で互いに対向するように構成されている。すなわち、一対の挿入部９は、時計バンド５を成型する際に、一対の弾性突起部８にインサート成型によって一体に形成されている。
【００１８】
この場合、一対の挿入部９は、図３〜図５に示すように、一対の弾性突起部８間に向けて突出する突出長さ、つまり挿入部９の軸方向における突出長さが、時計バンド５の長手方向と直交する方向における弾性突起部８の長さ（厚み）と同じか、それよりも少し長く突出すように形成されている。すなわち、これら一対の挿入部９は、一対の弾性突起部８を押し広げてバンド取付部４の両側部を弾力的に挟み付ける際に、互いに対向する各端部９ｂが時計バンド５の取付孔６にそれぞれ両側から挿入する長さに形成されている。
【００１９】
また、押え部１０は、図２および図５に示すように、一対の弾性突起部８間に位置する時計バンド５の端部５ａからバンド取付部４の裏面側に沿って腕時計ケース１に向けて延び、この延びた先端部が裏蓋３の裏面における縁部を押えるように構成されている。この場合、押え部１０は、時計バンド５の長手方向と直交する方向の長さが、図４に示すように、一対の挿入部９の互いに対向する各端部９ｂ間の長さよりも短く形成されている。
【００２０】
ところで、一対の挿入部９は、図３および図５に示すように、その各内部に１本の棒状部材１１が連続して挿入されるように構成されている。この棒状部材１１は、ステンレスなどの金属棒であり、その外径が挿入部９の内径とほぼ同じで、その長さがバンド取付部４の取付孔６の長さとほぼ同じか、それよりも少し長く形成されている。このため、棒状部材１１は、一対の挿入部９に挿入された際に、その両端部が一対の挿入部９の内部に少し引っ込んだ状態で配置されるように構成されている。
【００２１】
また、一対の挿入部９の各端部９ａには、図５および図６に示すように、キャップ部１２がそれぞれ着脱可能に取り付けられている。すなわち、このキャップ部１２は、ウレタン樹脂などの軟質の合成樹脂からなり、一対の挿入部９の各端部９ａをそれぞれ塞ぐように構成されている。すなわち、このキャップ部１２は、挿入部９の端部９ａ内に嵌合する嵌合部１２ａと、この嵌合部１２ａの端部に設けられた頭部１２ｂと、を備えている。
【００２２】
嵌合部１２ａは、図５および図６に示すように、その外径が挿入部９の内径とほぼ同じで、その長さが挿入部９の軸方向における一対の弾性突起部８の長さよりも短い長さで形成されている。頭部１２ｂは、その外径が挿入部９の外径よりも大きく形成されている。これにより、頭部１２ｂは、嵌合部１２ａが挿入部９に嵌合した際に、挿入部９の端部９ａを覆い隠して弾性突起部８の外面に接するように構成されている。
【００２３】
この場合、頭部１２ｂには、図６に示すように、切込溝１２ｃが設けられている。この切込溝１２ｃは、頭部１２ｂが弾性突起部８の外面に接した際に、頭部１２ｂと弾性突起部８の外面との間に指先の爪が挿入する程度の隙間を形成するように構成されている。これにより、キャップ部１２は、嵌合部１２ａが一対の挿入部９にそれぞれ嵌合して一対の挿入部９の各端部９ａを塞ぐことにより、棒状部材１１が一対の挿入部９内にから抜け出さないように構成されている。
【００２４】
また、このキャップ部１２は、図４〜図６に示すように、頭部１２ｂが弾性突起部８の外面に接した状態で、嵌合部１２ａを一対の挿入部９から取り外す際に、頭部１２ｂに設けられた切込溝１２ｃによって頭部１２ｂと弾性突起部８の外面との間に隙間が形成され、この隙間Ｓに指先の爪を引っ掛けて嵌合部１２ａを一対の挿入部９の各端部９ａ内から引き出すことにより、一対の挿入部９から取り外せるように構成されている。
【００２５】
次に、このような腕時計のバンド取付構造の作用について説明する。
腕時計ケース１に時計バンド５を取り付ける場合には、時計バンド５の端部５ａに設けられた一対の弾性突起部８を弾力的に押し広げて腕時計ケース１のバンド取付部４の両側に配置する。このときには、一対の弾性突起部８に設けられた一対の挿入部９の互いに対向する端部９ｂがバンド取付部４の両側に配置する程度に、一対の弾性突起部８を弾力的に押し広げる。
【００２６】
この状態で、一対の挿入部９の互いに対向する端部９ｂをバンド取付部４の取付孔６にその両側から挿入し、一対の弾性突起部８を元の形状に弾性復帰させてバンド取付部４の両側面に押し付ける。このときには、図５に示すように、一対の弾性突起部８がバンド取付部４の両側に位置する各庇部７の下側にそれぞれ配置される。このため、一対の弾性突起部８は、各庇部７によってバンド取付部４の上方から見えないように隠される。
【００２７】
これにより、時計バンド５の端部５ａがバンド取付部４に取り付けられる。このときには、図２に示すように、時計バンド５の端部５ａに設けられた押え部１０がバンド取付部４の裏面に配置されると共に、この押え部１０の先端部が裏蓋３に延び、この延びた先端部が裏蓋３の裏面における縁部を腕時計ケース１の下部に押え付ける。これにより、時計バンド５は、一対の挿入部９を中心に回転する際に、裏蓋３側への回転が規制されている。
【００２８】
そして、一対の挿入部９のうち、一方の挿入部９の端部９ａからその内部に棒状部材１１を挿入し、バンド取付部４の取付孔６を通して他方の挿入部９内に挿入する。これにより、棒状部材１１が一対の挿入部９内に連続した状態で配置される。この状態では、一対の挿入部９が棒状部材１１の軸方向に対して傾くことがないので、一対の弾性突起部８を弾力的に押し広げることができない。このため、時計バンド５の端部５ａがバンド取付部４に確実にかつ強固に取り付けられる。
【００２９】
この状態で、一対の挿入部９の各端部９ａにキャップ部１２をそれぞれ取り付ける。このときには、キャップ部１２の嵌合部１２ａを一対の挿入部９の各端部９ａ内にそれぞれ嵌入させて各頭部１２ｂを挿入部９の端部９ａに押し付ける。これにより、各頭部１２ｂがそれぞれ各挿入部９の端部９ａを覆い隠して弾性突起部８の外面に接する。この状態では、棒状部材１１が一対の挿入部９から抜け出すことがない。
【００３０】
また、時計バンド５を腕時計ケース１から取り外す場合には、まず、キャップ部１２を一対の挿入部９からそれぞれ取り外す。このときには、頭部１２ｂに設けられた切込溝１２ｃによって頭部１２ｂと弾性突起部８の外面との間に隙間が形成され、この隙間に指先の爪を引っ掛けて嵌合部１２ａを一対の挿入部９の各端部９ａ内から引き出す。これにより、キャップ部１２を一対の挿入部９からそれぞれ取り外すことができる。
【００３１】
この状態で、棒状部材１１が上下方向に傾くように、腕時計ケース１を傾けて振ると、棒状部材１１が一対の挿入部９から抜け出す。これにより、棒状部材１１を一対の挿入部９内から簡単に取り出すことができる。この状態では、一対の弾性突起部８を弾力的に押し広げることができる。このため、一対の弾性突起部８を弾力的に押し広げて、一対の挿入部９をバンド取付部４の取付孔６内からそれぞれ抜き出す。これにより、時計バンド５の端部５ａを腕時計ケース１のバンド取付部４から取り外すことができる。
【００３２】
このように、この腕時計のバンド取付構造によれば、取付孔６を有する部材取付部であるバンド取付部４が突出して設けられた腕時計ケース１と、バンド取付部４の両側を弾力的に挟む一対の弾性突起部８を有し、これら一対の弾性突起部８に設けられて、バンド取付部４の取付孔６に両側から挿入する一対の挿入部９を有する時計バンド５と、を備えているので、工具を用いずに、簡単に時計バンド５を腕時計ケース１に対して取り付けたり取り外したりすることができる。
【００３３】
すなわち、この腕時計のバンド取付構造では、時計バンド３の一対の弾性突起部８を弾力的に押し広げるだけで、一対の挿入部９をバンド取付部４の取付孔６に両側から挿入させることができるので、時計バンド５を腕時計ケース１に簡単にかつ容易に取り付けることができる。
【００３４】
また、このバンド取付構造では、時計バンド５の一対の弾性突起部８を弾力的に押し広げるだけで、一対の挿入部９をバンド取付部４の取付孔６から抜き出すことができるので、時計バンド５を腕時計ケース１から簡単にかつ容易に取り外すことができる。このため、工具を用いずに、簡単に時計バンド５を腕時計ケース１に対して着脱することができる。
【００３５】
この場合、バンド取付部４の両側部には、庇部７がそれぞれ設けられているので、この両側の各庇部７の下側に一対の弾性突起部８をそれぞれ配置することができる。このため、一対の弾性突起部８を各庇部７によってバンド取付部４の上方から見えないように覆い隠すことができるので、外観がすっきりし、デザイン的に好ましいものを提供することができる。
【００３６】
また、このバンド取付構造では、一対の挿入部９がそれぞれ円筒状に形成され、これら一対の挿入部９の各内部に金属製の棒状部材１１が連続して挿入される構成であるから、一対の挿入部９内にバンド取付部４の取付孔６を通して棒状部材１１が連続した状態で配置されると、一対の挿入部９が棒状部材１１の軸方向に対して傾かないようにすることができる。このため、一対の弾性突起部８を弾力的に押し広げることができないので、時計バンド５の端部５ａをバンド取付部４に確実にかつ強固に取り付けることができる。
【００３７】
また、一対の挿入部９は、それぞれ金属製の円筒状に形成され、一対の弾性突起部８にインサート成型によって一体に形成されていることにより、その製作が簡単で容易にできると共に、一対の挿入部９を一対の弾性突起部８に確実にかつ強固に取り付けることができ、これにより時計バンド５の端部５ａをバンド取付部４に確実にかつ強固に取り付けることができる。
【００３８】
さらに、一対の挿入部９は、バンド取付部４の取付孔６と反対側に位置する各端部９ａが一対の弾性突起部８から外部に露呈し、この露呈した各端部９ａにキャップ部１２がそれぞれ着脱可能に取り付けられることにより、一対の挿入部９内に挿入された棒状部材１１が不用意に一対の挿入部９から抜け出してしまうのを確実に防ぐことができる。
【００３９】
すなわち、棒状部材１１は、腕時計ケース１を傾けて振ると、一対の挿入部９内から簡単に取り出せる構成であっても、一対の挿入部９の各端部９ａにキャップ部１２がそれぞれ取り付けられることにより、不用意に一対の挿入部９から抜け出さないようにすることができる。
【００４０】
この場合、キャップ部１２は、挿入部９の端部９ａ内に嵌入する嵌合部１２ａと、この嵌合部１２ａの端部に設けられた頭部１２ｂと、を備えているので、嵌合部１２ａを一対の挿入部９の端部９ａ内にそれぞれ嵌入させて各頭部１２ｂを挿入部９の端部９ａに押し付けるだけで、簡単にかつ容易に一対の挿入部９の端部９ａに取り付けることができる。これにより、各頭部１２ｂを弾性突起部８の外面に接触させることができるので、各頭部１２ｂによってそれぞれ各挿入部９の端部９ａを覆い隠すことができる。
【００４１】
また、このキャップ部１２は、頭部１２ｂに切込溝１２ｃが設けられているので、この切込溝１２ｃによって頭部１２ｂと弾性突起部８の外面との間に隙間を形成することができ、この隙間に指先の爪を引っ掛けて嵌合部１２ａを一対の挿入部９内から引き出すことができるので、キャップ部１２を一対の挿入部９の各端部９ａから簡単にかつ容易に取り外すことができる。
【００４２】
（第２実施形態）
次に、図７および図８を参照して、この発明を時計バンドに適用した第２実施形態について説明する。なお、図１〜図６に示された第１実施形態と同一部分には同一符号を付して説明する。
この時計バンド２０は、図７および図８に示すように、複数のバンド駒２１と複数の連結駒２２とを有し、これら複数のバンド駒２１を複数の連結駒２２によって順次連結するように構成されている。
【００４３】
バンド駒２１は、図７および図８に示すように、駒本体２３と、この駒本体２３における時計バンド２０の長手方向に位置する両端部（図７では上下辺に位置する各端部）にそれぞれ突出して設けられた一対の取付突起部２４とを有し、これらが金属によって一体に形成された構成になっている。この場合、駒本体２３は、時計バンド２０の長手方向と直交する方向の長さが、時計バンド２０の長手方向の長さよりも長い横長の長方形状に形成されている。
【００４４】
一対の取付突起部２４は、図７および図８に示すように、時計バンド２０の長手方向に位置する駒本体２３の上辺と下辺との各端部の中間部にそれぞれ位置し、時計バンド２０の長手方向と直交する方向の長さが、駒本体２３の長さよりも短く形成されている。これら一対の取付突起部２４には、時計バンド２０の長手方向と直交する方向に取付孔２５がそれぞれ貫通して設けられている。
【００４５】
また、一対の取付突起部２４の各両側部には、図７および図８に示すように、庇部２４ａがそれぞれ設けられている。この庇部２４ａは、その下側が切欠き部に形成されている。これにより、バンド駒２１は、その上方から見た際に、全体が平坦な長方形状になるように形成されている。
【００４６】
一方、連結駒２２は、図７および図８に示すように、２つのバンド駒２１の間に配置されて、バンド駒２１同士を連結するものであり、ウレタン樹脂などの軟質の合成樹脂からなる本体部２６を有している。この連結駒２２は、本体部２６における時計バンド２０の長手方向に位置する両端部（図７では上下辺に位置する各端部）にそれぞれ一対の弾性突起部２７が設けられ、これら一対の弾性突起部２７に一対の挿入部２８がそれぞれ設けられた構成になっている。
【００４７】
この場合、連結駒２２の本体部２６は、図７および図８に示すように、バンド駒２１の駒本体２３とほぼ同じ大きさの長方形状に形成されている。一対の弾性突起部２７は、本体部２６の上辺側と下辺側とに位置する各端部の両側にそれぞれ時計バンド２０の長手方向に向けて突出して設けられ、バンド駒２１の取付突起部２４の両側に配置された状態で、取付突起部２４の両側を弾力的に挟むように構成されている。
【００４８】
すなわち、一対の弾性突起部２７は、図７および図８に示すように、その突出長さがバンド駒２１の取付突起部２４の突出長さとほぼ同じ長さに形成されている。また、これら一対の弾性突起部２７は、バンド駒２１の取付突起部２４の両側に配置された状態のときに、バンド駒２１の四隅に位置する各庇部２４ａの下側に配置されるように構成されている。このため、一対の弾性突起部２７は、各庇部２４ａによってバンド駒２１の上方から見えないように隠れるように構成されている。
【００４９】
一対の挿入部２８は、第１実施形態と同様、それぞれ金属製の円筒状に形成されている。これら一対の挿入部２８は、その各一端部２８ａが一対の弾性突起部２７内にそれぞれ埋め込まれ、各他端部２８ｂが一対の弾性突起部２７間に向けて突出し、この突出した各端部２８ｂが互いに対向するように構成されている。これら一対の挿入部２８は、連結駒２２を成型する際に、一対の弾性突起部２７にインサート成型によって一体に形成されている。
【００５０】
この場合、一対の挿入部２８は、図７および図８に示すように、一対の弾性突起部２７間に向けて突出する突出長さ、つまり弾性突起部２７から突出する挿入部２８の軸方向における突出長さが、時計バンド２０の長手方向と直交する方向における弾性突起部２７の長さ（厚み）とほぼ同じ長さに形成されている。
【００５１】
すなわち、これら一対の挿入部２８は、図７および図８に示すように、一対の弾性突起部２７を押し広げてバンド駒２１の取付突起部２４の両側部を弾力的に挟み付ける際に、互いに対向する各端部２８ｂが取付突起部２４の取付孔２５にそれぞれ両側から挿入する長さに形成されている。
【００５２】
また、一対の挿入部２８は、図７および図８に示すように、その各内部に１本の棒状部材１１が連続して挿入されるように構成されている。この棒状部材１１は、第１実施形態と同様、ステンレスなどの金属棒であり、その外径が挿入部２８の内径とほぼ同じで、その長さがバンド駒２１の取付孔２５の長さよりも少し長く形成されている。このため、棒状部材１１は、一対の挿入部２８に挿入された際に、その両端部が一対の挿入部２８の内部に少し引っ込んだ状態で配置されるように構成されている。
【００５３】
また、一対の挿入部２８の各端部２８ａには、図７および図８に示すように、キャップ部１２がそれぞれ着脱可能に取り付けられている。このキャップ部１２も、第１実施形態と同様、ウレタン樹脂などの軟質の合成樹脂からなり、一対の挿入部２８の各端部２８ａをそれぞれ塞ぐように構成されている。すなわち、このキャップ部１２は、挿入部２８の端部２８ａ内に嵌合する嵌合部１２ａと、この嵌合部１２ａの端部に設けられた頭部１２ｂと、を備えている。
【００５４】
この場合にも、頭部１２ｂには、図７および図８に示すように、切込溝１２ｃが設けられている。この切込溝１２ｃは、第１実施形態と同様、頭部１２ｂが弾性突起部２７の外面に接した際に、頭部１２ｂと弾性突起部２７の外面との間に指先の爪が挿入する程度の隙間を形成するように構成されている。
【００５５】
これにより、このキャップ部１２は、第１実施形態と同様、一対の挿入部２８から取り外す際に、頭部１２ｂに設けられた切込溝１２ｃによって頭部１２ｂと弾性突起部２９の外面との間に形成された隙間に、指先の爪を引っ掛けて嵌合部１２ａを一対の挿入部２８内から引き出すことにより、一対の挿入部２８から取り外せるように構成されている。
【００５６】
次に、このような時計バンド２０の作用について説明する。
時計バンド２０のバンド駒２１を連結駒２２によって連結する場合には、連結駒２２に設けられた一対の弾性突起部２７を弾力的に押し広げてバンド駒２１の取付突起部２４の両側に配置する。このときには、一対の弾性突起部２７に設けられた一対の挿入部２８の互いに対向する端部２８ｂが取付突起部２４の両側に配置する程度に、一対の弾性突起部２７を弾力的に押し広げる。
【００５７】
この状態で、一対の挿入部２８の互いに対向する端部２８ｂを取付突起部２４の取付孔２５にその両側から挿入し、一対の弾性突起部２７を元の形状に弾性復帰させて取付突起部２４の両側面に押し付ける。このときには、一対の弾性突起部２７が取付突起部２４の両側に位置する各庇部２４ａの下側に配置される。このため、一対の弾性突起部２７は、各庇部２４ａによってバンド駒２１の上方から見えないように隠される。これにより、連結駒２２の一方の端部がバンド駒２１の一方の取付突起部２４に取り付けられ、バンド駒２１と連結駒２２とが連結される。
【００５８】
そして、一対の挿入部２８のうち、一方の挿入部２８の端部２８ａからその内部に棒状部材１１を挿入し、取付突起部２４の取付孔２５を通して他方の挿入部２８内に挿入する。これにより、棒状部材１１が一対の挿入部２８内に連続した状態で配置される。この状態では、一対の挿入部２８が棒状部材１１の軸方向に対して傾くことがないので、一対の弾性突起部２７を弾力的に押し広げることができない。このため、連結駒２２がバンド駒２１の取付突起部２４に確実にかつ強固に取り付けられる。
【００５９】
この状態で、一対の挿入部２８の各端部２８ａにキャップ部１２をそれぞれ取り付ける。このときには、キャップ部１２の嵌合部１２ａを一対の挿入部２８の各端部２８ａ内にそれぞれ嵌入させて、キャップ部１２の頭部１２ｂを挿入部２８の端部２８ａに押し付ける。これにより、キャップ部１２の頭部１２ｂがそれぞれ各挿入部２８の端部２８ａを覆い隠して弾性突起部２７の外面にそれぞれ接する。この状態では、棒状部材１１が一対の挿入部２８から抜け出すことがない。
【００６０】
このように、１つのバンド駒２１が連結された連結駒２２の他方の端部側に設けられた一対の弾性突起部２７を他のバンド駒２１の取付突起部２４に取り付ける。このときには、上述した場合と同様、一対の弾性突起部２７を弾力的に押し広げて一対の挿入部２８を他のバンド駒２１の取付突起部２４の取付孔２５にその両側からそれぞれ挿入させる。
【００６１】
この状態で、上述した場合と同様、一対の挿入部２８に棒状部材１１を挿入して、一対の挿入部２８の各端部２８ａにキャップ部１２を取り付ける。これにより、１つのバンド駒２１が連結された連結駒２２に他のバンド駒２１が連結される。このようにして、複数のバンド駒２１を複数の連結駒２２によって順次連結することにより、時計バンド２０が組み立てられる。
【００６２】
また、バンド駒２１と連結駒２２とを取り外す場合には、まず、キャップ部１２を一対の挿入部２８からそれぞれ取り外す。このときには、第１実施形態と同様、頭部１２ｂに設けられた切込溝１２ｃによって頭部１２ｂと弾性突起部２７の外面との間に隙間が形成され、この隙間に指先の爪を引っ掛けて嵌合部１２ａを一対の挿入部２８の各端部２８ａ内からそれぞれ引き出す。これにより、キャップ部１２を一対の挿入部２８からそれぞれ取り外すことができる。
【００６３】
この状態で、棒状部材１１が上下方向に傾くように、時計バンド２０を傾けて振ると、棒状部材１１が一対の挿入部２８から抜け出す。これにより、棒状部材１１を一対の挿入部２８内から簡単に取り出すことができる。この状態では、一対の弾性突起部２７を弾力的に押し広げることができる。このため、一対の弾性突起部２７を弾力的に押し広げて、一対の挿入部２８をバンド駒２１の取付突起部２４の取付孔２５内からそれぞれ抜き出す。これにより、連結駒２２をバンド駒２１の取付突起部２４から取り外すことができる。
【００６４】
このように、この時計バンド２０によれば、取付孔２５を有する部材取付部である取付突起部２４が突出して設けられたバンド駒２１と、このバンド駒２１の取付突起部２４の両側を弾力的に挟む一対の弾性突起部２７を有し、これら一対の弾性突起部２７に設けられて、バンド駒２１の取付突起部２４の取付孔２５に両側から挿入する一対の挿入部２８を有する連結駒２２と、を備えていることにより、工具を用いずに、簡単にバンド駒２１と連結駒２２とを連結したり取り外したりすることができる。
【００６５】
すなわち、この時計バンド２０では、連結駒２２の一対の弾性突起部２７を弾力的に押し広げるだけで、一対の挿入部２８をバンド駒２１の取付孔２５にその両側からそれぞれ挿入させることができるので、連結駒２２とバンド駒２１とを簡単にかつ容易に連結することができる。
【００６６】
また、この時計バンド２０では、連結駒２２の一対の弾性突起部２７を弾力的に押し広げるだけで、一対の挿入部２８をバンド駒２１の取付孔２５から抜き出すことができるので、バンド駒２１と連結駒２２とを簡単にかつ容易に取り外すことができる。このため、工具を用いずに、簡単にバンド駒２１と連結駒２２とを着脱することができる。
【００６７】
この場合にも、バンド駒２１の取付突起部２４の両側部には、庇部２４ａがそれぞれ設けられているので、この両側の各庇部２４ａの下側に一対の弾性突起部２７をそれぞれ配置することができる。このため、一対の弾性突起部２７を各庇部２４ａによってバンド駒２１の上方から見えないように覆い隠すことができるので、外観がすっきりし、デザイン的に好ましいものを提供することができる。
【００６８】
また、この時計バンド２０では、一対の挿入部２８がそれぞれ円筒状に形成され、これら一対の挿入部２８の各内部に金属製の棒状部材１１が連続して挿入される構成であるから、第１実施形態と同様、一対の挿入部２８内にバンド駒２１の取付突起部２４の取付孔２５を通して棒状部材１１が連続した状態で配置されると、一対の挿入部２８が棒状部材１１の軸方向に対して傾かないようにすることができる。このため、一対の弾性突起部２７を弾力的に押し広げることができないので、連結駒２２をバンド駒２１の取付突起部２４に確実にかつ強固に取り付けることができる。
【００６９】
また、一対の挿入部２８は、それぞれ金属製の円筒状に形成され、一対の弾性突起部２７にインサート成型によって一体に形成されていることにより、第１実施形態と同様、その製作が簡単で容易にできると共に、一対の挿入部２８を一対の弾性突起部２７に確実にかつ強固に取り付けることができ、これにより連結駒２２をバンド駒２１の取付突起部２４に確実にかつ強固に取り付けることができる。
【００７０】
さらに、一対の挿入部２８は、バンド駒２１の取付突起部２４の取付孔２５と反対側に位置する各端部２８ａが一対の弾性突起部２７から外部に露呈し、この露呈した各端部２８ａにキャップ部１２がそれぞれ着脱可能に取り付けられることにより、第１実施形態と同様、一対の挿入部２８内に挿入された棒状部材１１が不用意に一対の挿入部２８から抜け出してしまうのを確実に防ぐことができる。
【００７１】
すなわち、棒状部材１１は、第１実施形態と同様、時計バンド２０を傾けて振ると、一対の挿入部２８内から簡単に取り出せる構成であっても、一対の挿入部２８の各端部２８ａにキャップ部１２がそれぞれ取り付けられることにより、不用意に一対の挿入部２８から抜け出さないようにすることができる。
【００７２】
この場合にも、キャップ部１２は、挿入部２８の端部２８ａ内に嵌合する嵌合部１２ａと、この嵌合部１２ａの端部に設けられた頭部１２ｂと、を備えているので、第１実施形態と同様、嵌合部１２ａを一対の挿入部２８の各端部２８ａ内にそれぞれ嵌入させて各頭部１２ｂを挿入部２８の端部２８ａに押し付けるだけで、簡単にかつ容易に一対の挿入部２８の各端部２８ａに取り付けることができる。これにより、各頭部１２ｂを弾性突起部２７の外面に接触させることができるので、各頭部１２ｂによってそれぞれ各挿入部２８の端部２８ａを覆い隠すことができる。
【００７３】
また、このキャップ部１２は、頭部１２ｂに切込溝１２ｃが設けられているので、第１実施形態と同様、切込溝１２ｃによって頭部１２ｂと弾性突起部２７の外面との間に隙間を形成することができ、この隙間に指先の爪を引っ掛けて嵌合部１２ａを一対の挿入部２８内から引き出すことができるので、キャップ部１２を一対の挿入部２８の各端部２８ａから簡単にかつ容易に取り外すことができる。
【００７４】
なお、上述した第２実施形態では、バンド駒２１を金属で形成した場合について述べたが、これに限らず、バンド駒を合成樹脂で形成しても良い。このように構成しても、第２実施形態と同様の作用効果がある。
【００７５】
また、上述した第１、第２の各実施形態では、一対の挿入部９、２８の互いに対向する端部９ｂ、２８ｂと反対側に位置する各端部９ａ、２８ａが一対の弾性突起部８、２７からそれぞれ外部に露出するように構成した場合について述べたが、これに限らず、例えば図９に示す変形例のように、一対の挿入部９、２８のうち、いずれか一方の挿入部９、２８の端部９ａ、２８ａを弾性突起部８、２７で塞ぐように構成しても良い。
【００７６】
このように構成された変形例では、一対の挿入部９、２８に棒状部材１１を挿入した際に、一方の挿入部９、２８の端部９ａ、２８ａが塞がれているので、棒状部材１１を所定位置に配置することができると共に、他方の挿入部９、２８の端部９ａ、２８ａのみにキャップ部１２を取り付けるだけで良いので、部品点数を削減することができ、キャップ部１２の取付作業を簡素化することができる。
【００７７】
また、上述した第１、第２の各実施形態では、一対の挿入部９、２８が金属製の円筒状に形成され、インサート成型によって一対の弾性突起部８、２７に一体に形成されている場合について述べたが、これに限らず、一対の挿入部をそれぞれ一対の弾性突起部８、２７と同じ合成樹脂によって円筒状に形成しても良い。
【００７８】
この場合には、一対の弾性突起部８、２７を成型する際に、一対の挿入部を一対の弾性突起部８、２７に一体に形成することができるので、第１、第２の各実施形態よりも簡単にかつ容易に製作することができる。このように一対の挿入部を合成樹脂で形成しても、第１、第２の各実施形態と同様の作用効果がある。
【００７９】
さらに、上述した第１、第２の各実施形態では、一対の挿入部９、２８を円筒状に形成した場合について述べた、必ずしも円筒状に形成する必要はなく、四角形、五角形、六角形などの角筒状に形成しても良く、また必ずしも筒状に形成する必要はなく、棒状に形成しても良い。
【００８０】
また、上述した第１、第２の各実施形態では、キャップ部１２を軟質の合成樹脂で形成した場合について述べたが、必ずしも軟質の合成樹脂で形成する必要はなく、硬質の合成樹脂で形成しても良く、また金属で形成しても良い。
【００８１】
さらに、上述した第１、第２の各実施形態では、腕時計と時計バンド２０とに適用した場合について述べたが、これに限らず、例えば腕に装着する使用する腕装着型の電子機器、あるいは鞄、またはバッグなどにも適用することができる。
【００８２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８３】
（付記）
請求項１に記載の発明は、取付孔を有する部材取付部が突出して設けられた第１の部材と、前記部材取付部の両側を弾力的に挟む一対の弾性突起部を有し、これら一対の弾性突起部に設けられ、かつ前記部材取付部の前記取付孔に両側から挿入する一対の挿入部を有する第２の部材と、を備えていることを特徴とする部材連結構造である。
【００８４】
請求項２に記載の発明は、請求項１に記載の部材連結構造において、前記一対の挿入部は、それぞれ筒状に形成され、その各内部に棒状部材が前記一対の挿入部に亘り挿入されていることを特徴とする部材連結構造である。
【００８５】
請求項３に記載の発明は、請求項１または請求項２に記載の部材連結構造において、前記第１の部材はケースであり、前記第２の部材はバンドであることを特徴とする部材連結構造である。
【００８６】
請求項４に記載の発明は、請求項１または請求項２に記載の部材連結構造において、前記第１の部材はバンド駒であり、前記第２の部材は連結駒であることを特徴とする部材連結構造。
【００８７】
請求項５に記載の発明は、請求項１〜請求項４のいずれかに記載の部材連結構造において、前記一対の挿入部は、それぞれ金属製の筒状に形成され、前記一対の弾性突起部にインサート成型によって一体に形成されていることを特徴とする部材連結構造である。
【００８８】
請求項６に記載の発明は、請求項１〜請求項４のいずれかに記載の部材連結構造において、前記一対の挿入部は、それぞれ合成樹脂製の筒状に形成され、前記一対の弾性突起部に一体に形成されていることを特徴とする部材連結構造である。
【００８９】
請求項７に記載の発明は、請求項１〜請求項６のいずれかに記載の部材連結構造において、前記一対の挿入部のうち、いずれか一方の挿入部は、前記部材取付部の前記取付孔と反対側の端部が前記弾性突起部によって塞がれていることを特徴とする部材連結構造である。
【００９０】
請求項８に記載の発明は、請求項１〜請求項６のいずれかに記載の部材連結構造において、前記挿入部は、前記部材取付部の前記取付孔と反対側に位置する端部が前記弾性突起部から外部に露呈し、この露呈した前記端部にキャップ部が着脱可能に取り付けられていることを特徴とする部材連結構造である。
【００９１】
請求項９に記載の発明は、請求項１〜請求項８のいずれかに記載されている部材連結構造を備えていることを特徴とする腕時計である。
【符号の説明】
【００９２】
１  腕時計ケース
４  バンド取付部
５、２０  時計バンド
６、２５  取付孔
８、２７  一対の弾性突起部
９、２８  一対の挿入部
１１  棒状部材
１２  キャップ部
２１  バンド駒
２２  連結駒
２４  取付突起部
【図１】
2015116277.tif 000003
【図２】
2015116277.tif 000004
【図３】
2015116277.tif 000005
【図４】
2015116277.tif 000006
【図５】
2015116277.tif 000007
【図６】
2015116277.tif 000008
【図７】
2015116277.tif 000009
【図８】
2015116277.tif 000010
【図９】
2015116277.tif 000011